(57)【要約】      （修正有）【課題】問題用紙などのコンテンツの作成および配布のための既存のプロセスでは、人の介入が必要な複数の段階が存在し、これが莫大な範囲の問題用紙の漏洩と不正行為につながる。加えて、コンテンツの配布のために莫大な労働力および高い費用を必要とする。そこで、試験のコンテンツを安全に配布する方法およびシステムを提供する。【解決手段】システムは、コンテンツを定められた持続期間にだけアクセス可能に維持し、いずれの媒体にもコピーまたは印刷できない受信ペーパー装置を与える。装置は、マスターペーパー装置１０４として試験監督モードで、受信ペーパー装置として試験モードで、使用できる。システムは、コンテンツを安全に作成するまたはオーサリングするコンテンツオーサリングエンジンを含む。コンテンツは、コンテンツオーサリングエンジンからクラウドサーバおよびマスターペーパー装置へ、パスワードで保護された暗号化形式で転送される。【選択図】図１
2020068004.tif 000002
【特許請求の範囲】
【請求項１】
試験におけるコンテンツを配布する方法（２００）であって、
前記コンテンツを、１つまたはそれ以上の問題用紙の形で、コンテンツオーサリングエンジン上で作成するステップであって、前記１つまたはそれ以上の問題用紙はセキュリティキーで暗号化され、前記１つまたはそれ以上の問題用紙の各々は、複数の受信ペーパー装置に対応する１つまたはそれ以上のメディアアクセス制御（ＭＡＣ：ｍｅｄｉａ  ａｃｃｅｓｓ  ｃｏｎｔｒｏｌ）番号を用いてマッピングされる、ステップ（２０２）と、
前記作成された１つまたはそれ以上の問題用紙をクラウドサーバ上で同期化するステップ（２０４）と、
前記１つまたはそれ以上の問題用紙に対する要求をマスターペーパー装置から受信するステップであって、前記要求は公開キーと共に受信される、ステップ（２０６）と、
前記公開キーの正しさを前記コンテンツオーサリングエンジンにおいて確認するステップ（２０８）と、
前記１つまたはそれ以上の問題用紙を予めマッピングされた１つまたはそれ以上のＭＡＣ番号と共に、暗号化形式で、前記サーバから前記マスターペーパー装置へ転送するステップ（２１０）と、
複数の受信ペーパー装置のスイッチを入れるステップであって、前記スイッチを入れるステップはそれら装置を受信モードに変える、ステップ（２１２）と、
前記マスターペーパー装置と、前記複数の受信ペーパー装置のうちの第１の受信ペーパー装置との間の接続を、第１の問題用紙に対応するＭＡＣ番号の第１のリストにより、第１のアドホック安全ネットワークを用いて設定するステップ（２１４）と、
前記第１の問題用紙を、前記マスターペーパー装置から前記第１の受信ペーパー装置へ、前記第１のアドホック安全ネットワークを用いて送信するステップ（２１６）と、
前記第１の問題用紙を、前記マスターペーパー装置および前記第１の受信ペーパー装置から、ＭＡＣ番号の前記第１のリストに対応する残りの複数の受信ペーパー装置へ送信するステップ（２１８）と、
前記クラウドサーバにより予め生成されたパスワードを、前記試験の所定の数分前に、前記複数の受信ペーパー装置を使用するユーザと共有するステップであって、前記パスワードは前記１つまたはそれ以上の問題用紙を開くために使用される、ステップ（２２０）と、
前記１つまたはそれ以上の問題用紙を、前記共有されたパスワードを用いて開き、解答シートを生成するために前記ユーザが前記問題用紙に挑むステップ（２２２）と、
前記ユーザにより、ユーザの受信ペーパー装置を用いて前記解答シートを走査するステップ（２２４）と、
前記走査された解答シートを前記クラウドサーバにアップロードして戻すステップ（２２６）と、
のプロセッサ実施ステップを含む、方法。
【請求項２】
第２のアドホック安全ネットワークを用いてＭＡＣ番号の第２のリストに対応する前記受信ペーパー装置に第２の問題用紙を共有させるステップをさらに含む、請求項１に記載の方法。
【請求項３】
前記受信ペーパー装置の、前記試験の開始時にあった場所からの移動を検知するステップをさらに含む、請求項１に記載の方法。
【請求項４】
前記受信ペーパー装置および前記マスターペーパー装置から前記問題用紙を消去するステップをさらに含む、請求項３に記載の方法。
【請求項５】
１つまたはそれ以上の一意的な識別番号に基づく確認、バイオメトリック確認または顔比較技術を用いて前記ユーザの同一性を確認するステップをさらに含む、請求項１に記載の方法。
【請求項６】
前記アドホック安全ネットワーク、並びにそのＳＳＩＤおよび接続信任状は、プログラムに従って、前記ＭＡＣ番号に応じて生成される、請求項１に記載の方法。
【請求項７】
前記複数の受信ペーパー装置は、それぞれのユーザのロール番号を用いてマッピングされる、請求項１に記載の方法。
【請求項８】
前記問題用紙は、ＡＥＳ２５６ビット暗号化を用い、著作者が提供したキーによって暗号化される、請求項１に記載の方法。
【請求項９】
前記問題用紙は、前記コンテンツオーサリングエンジン上に手で書き込むことによるか、または、既に準備された問題用紙を所定の形式で前記コンテンツオーサリングエンジン上にアップロードすることによって作成される、請求項１に記載の方法。
【請求項１０】
前記複数の受信ペーパー装置の各々は、一意的なメディアアクセス制御（ＭＡＣ）番号を有する、請求項１に記載の方法。
【請求項１１】
前記試験の終了後に、前記問題用紙を前記ユーザに、ウェブサイトリンクを用いて提供するステップをさらに含む、請求項１に記載の方法。
【請求項１２】
前記受信ペーパー装置をオフラインモードで用いて、志願者の音声または映像に基づく評価を実行するステップをさらに含む、請求項１に記載の方法。
【請求項１３】
前記試験の時限を、前記問題用紙の１つより多くのセクションに応じた部分よりも多くに都合をつけるステップをさらに含む、請求項１に記載の方法。
【請求項１４】
試験におけるコンテンツを配布するためのシステム（１００）であって、
１つまたはそれ以上の問題用紙の形でコンテンツを作成するように構成され、前記１つまたはそれ以上の問題用紙はセキュリティキーで暗号化され、前記１つまたはそれ以上の問題用紙の各々は、１つまたはそれ以上のメディアアクセス制御（ＭＡＣ）番号を用いて予めマッピングされる、コンテンツオーサリングエンジン（１０８）と、
クラウドサーバであり、
前記作成された１つまたはそれ以上の問題用紙を同期化し、
前記１つまたはそれ以上の問題用紙へのアクセスの要求を受信し、ここで、この要求は公開キーと共に受信され、
前記公開キーの正しさを前記コンテンツオーサリングエンジンにおいて確認し、
前記１つまたはそれ以上の問題用紙を前記マッピングされた１つまたはそれ以上のＭＡＣ番号と共に、暗号化形式で転送する、
ように構成される、クラウドサーバ（１１０）と、
前記１つまたはそれ以上の問題用紙を前記クラウドサーバから、前記マッピングされた１つまたはそれ以上のＭＡＣ番号と共に、暗号化形式で受信するように構成され、さらに前記１つまたはそれ以上の問題用紙を送信するように構成される、マスターペーパー装置（１０４）と、
１つまたはそれ以上の問題用紙を前記マスターペーパー装置から受信するように構成される複数の受信ペーパー装置（１０６）と、
を備え、
前記複数の受信ペーパー装置は、
前記マスターペーパー装置と、前記複数の受信ペーパー装置のうちの第１の受信ペーパー装置（１０６Ａ）との間の接続を、第１の問題用紙に対応するＭＡＣの第１のリストにより、接続設定モジュール（１１６）を使用して、第１のアドホック安全ネットワークを用いて設定するステップであって、前記接続は前記第１の問題用紙を前記マスターペーパー装置から前記第１の受信ペーパー装置へ転送するために使用される、ステップと、
前記第１の問題用紙を前記マスターペーパー装置および前記第１の受信ペーパー装置から、ＭＡＣ番号の前記第１のリストに対応する残りの複数の受信ペーパー装置に送信するステップと、
前記１つまたはそれ以上の問題用紙を、予め生成されたパスワードを用いて開くステップであって、解答シートを生成するためにユーザが前記問題用紙に挑み、前記パスワードは、前記試験の所定の数分前に、前記クラウドサーバにより予め生成されたパスワードであり、前記複数の受信ペーパー装置を使用するユーザと共有される、ステップと、
前記ユーザにより、ユーザの受信ペーパー装置を使用し、走査モジュール（１１８）を使用して、前記解答シートを走査するステップと、
前記走査された解答シートを、アップロードモジュール（１２０）を用いて前記クラウドサーバにアップロードして戻すステップと、
を実行するようにさらに構成される、
システム（１００）。
【請求項１５】
１つまたはそれ以上のハードウェアプロセッサによって実行されるとき、
コンテンツを、１つまたはそれ以上の問題用紙の形で、コンテンツオーサリングエンジン上で作成するステップであって、前記１つまたはそれ以上の問題用紙はセキュリティキーを用いて暗号化され、前記１つまたはそれ以上の問題用紙の各々は、複数の受信ペーパー装置に対応する１つまたはそれ以上のメディアアクセス制御（ＭＡＣ）番号を用いてマッピングされる、ステップと、
前記作成された１つまたはそれ以上の問題用紙をクラウドサーバ上で同期化するステップと、
前記１つまたはそれ以上の問題用紙に対するマスターペーパー装置からの要求を受信するステップであって、前記要求は公開キーと共に受信される、ステップと、
前記公開キーの正しさを前記コンテンツオーサリングエンジンにおいて確認するステップと、
前記１つまたはそれ以上の問題用紙を予めマッピングされた１つまたはそれ以上のＭＡＣ番号と共に、暗号化形式で、前記サーバから前記マスターペーパー装置へ転送するステップと、
複数の受信ペーパー装置のスイッチを入れるステップであって、前記スイッチを入れるステップはそれら装置を受信モードに変える、ステップと、
前記マスターペーパー装置と、前記複数の受信ペーパー装置のうちの第１の受信ペーパー装置との間の接続を、第１の問題用紙に対応するＭＡＣ番号の第１のリストにより、第１のアドホック安全ネットワークを用いて設定するステップと、
前記第１の問題用紙を、前記マスターペーパー装置から前記第１の受信ペーパー装置へ、前記第１のアドホック安全ネットワークを用いて送信するステップと、
前記第１の問題用紙を、前記マスターペーパー装置および前記第１の受信ペーパー装置から、ＭＡＣ番号の前記第１のリストに対応する残りの複数の受信ペーパー装置へ送信するステップと、
前記クラウドサーバにより予め生成されたパスワードを、前記試験の所定に数分前に、前記複数の受信ペーパー装置素使用するユーザと共有するステップであって、前記パスワードは前記１つまたはそれ以上の問題用紙を開くために使用される、ステップと、
前記１つまたはそれ以上の問題用紙を、前記共有されたパスワードを用いて開き、解答シートを生成するために前記ユーザが前記問題用紙に挑むステップと、
前記ユーザにより、ユーザの受信ペーパー装置を用いて前記解答シートを走査するステップと、
前記走査された解答シートを前記クラウドサーバにアップロードして戻すステップと、
をもたらす１つまたはそれ以上の命令を備える、１つまたはそれ以上の非一時的機械可読情報格納媒体。
【発明の詳細な説明】
【技術分野】
【０００１】
［関連出願の相互参照および優先権］
本出願は、その全体が引用により本明細書に組み入れられる２０１８年１０月２２日出願のインド国特許出願第２０１８２１０３９７４１号の優先権を主張するものである。
【０００２】
本明細書の実施形態は、一般に、安全な教育評価の分野に関する。より具体的には、しかし非特異的に、本発明は、試験における問題用紙などのコンテンツを安全に配布するためのシステムおよび方法を提供する。
【背景技術】
【０００３】
インドのような発展途上国では、依然として、大部分の評価は、紙ペンモデルまたはオフラインモードの評価で行われる。コンピュータをベースとする評価は２％近くと低い。コンピュータをベースとする評価は常に安全、迅速であり、努力をあまり消費しない。しかし、オフラインモードまたは紙ペンをベースとする評価の完全性を維持することは、依然として難題である。
【０００４】
現在、オフライン評価の問題用紙はハードコピーとして印刷されており、これが、種々異なる試験センターへの配布のための莫大な労働力および経費につながる。これはさらに、印刷センターから市の共通の場所へ、次いで最終的に試験センターへの問題用紙の輸送における莫大な物流努力を必要とする。人の介入が必要な複数の段階が存在し、これが莫大な範囲の用紙漏洩および不正行為につながる。さらに、異なる総数および科目を有する問題用紙が異なる試験センターに配布される場合に、莫大な範囲の手作業の間違いが存在する。予備として、同じ科目の複数のセットが作成され、これらが何らかの漏洩の場合に予備として使用されることになり、漏洩がない場合にはその問題用紙のセットは使いみちがなくなり、逆物流を引き起こす。
【０００５】
それに加えて、現在のプロセスにおいては、問題用紙セットを賢明に配布するための試験監督の莫大な努力が存在し、さらに、どのセットがどの志願者に割り当てられるかのマッピングが存在せず、互いの間で容易に交換される可能性がある。さらに、隣り合う志願者が、同じセットの問題用紙を取得し得る可能性がある。教育評価の分野において、コンテンツの安全な配布のために、様々な努力が実施されている。
【発明の概要】
【課題を解決するための手段】
【０００６】
以下は、実施形態の基本的理解を与えるために、本開示の幾つかの実施形態の簡単な概要を提示する。この概要は実施形態の広範囲の外観ではない。実施形態のキー／重要要素を識別することまたは実施形態の範囲を限定することは意図されていない。その唯一の目的は、以下で提示されるより詳しい説明に対する前置きとして、幾つかの実施形態を簡単な形で提示することである。
【０００７】
前述のことを考慮して、本明細書における一実施形態は、試験におけるコンテンツを配布するためのシステムを提供する。このシステムは、コンテンツオーサリングエンジン、クラウドサーバ、マスターペーパー装置および複数の受信ペーパー装置を備える。コンテンツオーサリングエンジンは、１つまたはそれ以上の問題用紙の形でコンテンツを作成し、ここで１つまたはそれ以上の問題用紙はセキュリティキーを用いて暗号化され、ここで１つまたはそれ以上の問題用紙の各々は、１つまたはそれ以上のメディアアクセス制御（ＭＡＣ：ｍｅｄｉａ  ａｃｃｅｓｓ  ｃｏｎｔｒｏｌ）番号を用いて予めマッピングされる。クラウドサーバは、作成された１つまたはそれ以上の問題用紙を同期化し、１つまたはそれ以上の問題用紙へのアクセスに対する要求を受信し、ここで、その要求は公開キーと共に受信され、コンテンツオーサリングエンジンにおいて公開キーの正しさを確認し、１つまたはそれ以上の問題用紙を、マッピングされた１つまたはそれ以上のＭＡＣ番号と共に、暗号化形式で転送する。マスターペーパー装置は、クラウドサーバから１つまたはそれ以上の問題用紙を、マッピングされた１つまたはそれ以上のＭＡＣ番号と共に暗号化形式で受信し、マスターペーパー装置は、１つまたはそれ以上の問題用紙を送信するようにさらに構成される。複数の受信ペーパー装置は、マスターペーパー装置から１つまたはそれ以上の問題用紙を受信し、ここで、複数の受信ペーパー装置は、マスターペーパー装置と、複数の受信ペーパー装置のうちの第１の受信ペーパー装置との間の接続を、接続設定モジュールを使用して、第１の問題用紙に対応するＭＡＣの第１のリストにより、第１のアドホック（ａｄｈｏｃ）安全ネットワークを用いて設定するステップであって、ここで、その接続は、マスターペーパー装置から第１の受信ペーパー装置へ第１の問題用紙を転送するために使用される、ステップと、マスターペーパー装置および第１の受信ペーパー装置から、ＭＡＣ番号の第１のリストに対応する残りの複数の受信ペーパー装置へ第１の問題用紙を送信するステップと、予め生成されたパスワードを用いて１つまたはそれ以上の問題用紙を開き、解答シートを生成するためにユーザが問題用紙に挑むステップであって、ここでパスワードは、クラウドサーバによって生成された、予め生成されたパスワードであり、試験の所定の数分前に複数の受信ペーパー装置を使用するユーザと共有される、ステップと、ユーザにより、それらの受信ペーパー装置を使用し、走査モジュールを使用して解答シートを走査するステップと、走査された解答シートを、アップロードモジュールを使用して、クラウドサーバにアップロードして戻すステップと、を実行するようにさらに構成される。
【０００８】
別の実施形態は、試験におけるコンテンツを配布する方法を提供する。初めに、コンテンツが、コンテンツオーサリングエンジンにより１つまたはそれ以上の問題用紙の形で作成され、ここで１つまたはそれ以上の問題用紙はセキュリティキーを用いて暗号化され、ここで１つまたはそれ以上の問題用紙の各々は、複数の受信ペーパー装置に対応する１つまたはそれ以上のメディアアクセス制御（ＭＡＣ）番号を用いてマッピングされる。さらに、作成された１つまたはそれ以上の問題用紙は、クラウドサーバ上で同期化される。次のステップにおいて、マスターペーパー装置から１つまたはそれ以上の問題用紙に対する要求が受信され、ここで、要求は公開キーと共に受信される。次のステップにおいて、公開キーの正しさが、コンテンツオーサリングエンジンにおいて確認される。次のステップにおいて、１つまたはそれ以上の問題用紙が、予めマッピングされた１つまたはそれ以上のＭＡＣ番号と供に、暗号化形式で、クラウドサーバからマスターペーパー装置へ転送される。次のステップにおいて、複数の受信ペーパー装置がスイッチを入れられ、ここでスイッチを入れることは、それらを受信モードに変える。さらに、マスターペーパー装置と、複数の受信ペーパー装置のうちの第１の受信ペーパー装置との間の接続が、第１の問題用紙に対応するＭＡＣ番号の第１のリストにより、第１のアドホック安全ネットワークを用いて設定される。次のステップにおいて、第１の問題用紙が、マスターペーパー装置から、第１のアドホック安全ネットワークを用いて、第１の受信ペーパー装置に送信される。次のステップにおいて、第１の問題用紙が、マスターペーパー装置および第１の受信ペーパー装置から、ＭＡＣ番号の第１のリストに対応する残りの複数の受信ペーパー装置に送信される。次のステップにおいて、クラウドサーバにより、予め生成されたパスワードが、試験の所定の数分前に、複数の受信ペーパー装置を使用するユーザと共有され、ここで、パスワードは１つまたはそれ以上の問題用紙を開くために使用される。次のステップにおいて、１つまたはそれ以上の問題用紙が共有パスワードを用いて開かれ、解答シートを生成するために、ユーザによってその問題用紙への挑戦がなされる。さらに、ユーザにより、ユーザの受信ペーパー装置を用いて解答シートが走査される。最後に、走査された解答シートがクラウドサーバにアップロードされて戻される。
【０００９】
さらに別の実施形態において、１つまたはそれ以上のハードウェアプロセッサによって実行されるとき、試験におけるコンテンツを配布させる１つまたはそれ以上の命令を備えた、１つまたはそれ以上の非一時的機械可読情報格納媒体が提供される。初めに、コンテンツが、１つまたはそれ以上の問題用紙の形で、コンテンツオーサリングエンジン上で作成され、ここで、１つまたはそれ以上の問題用紙はセキュリティキーを用いて暗号化され、ここで１つまたはそれ以上の問題用紙の各々は、複数の受信ペーパー装置に対応する１つまたは複数のメディアアクセス制御（ＭＡＣ）番号を用いてマッピングされる。さらに、作成された１つまたはそれ以上の問題用紙は、クラウドサーバ上で同期化される。次のステップにおいて、マスターペーパー装置から１つまたはそれ以上の問題用紙に関する要求が受信され、ここで要求は公開キーと共に受信される。次のステップにおいて、公開キーの正しさがコンテンツオーサリングエンジンにおいて確認される。次のステップにおいて、１つまたはそれ以上の問題用紙が、予めマッピングされた１つまたはそれ以上のＭＡＣ番号と共に、暗号化形式で、クラウドサーバからマスターペーパー装置へ転送される。次のステップにおいて、複数の受信ペーパー装置がスイッチを入れられ、ここで、スイッチを入れることは、それらを受信モードに変える。さらに、マスターペーパー装置と、複数の受信ペーパー装置のうちの第１の受信ペーパー装置との間の接続が、第１の問題用紙に対応するＭＡＣ番号の第１のリストにより、第１のアドホック安全ネットワークを用いて設定される。次のステップにおいて、第１の問題用紙が、マスターペーパー装置から第１の受信ペーパー装置へ、第１のアドホック安全ネットワークを用いて送信される。次のステップにおいて、第１の問題用紙が、マスターペーパー装置および第１の受信ペーパー装置から、ＭＡＣ番号の第１のリストに対応する残りの複数の受信ペーパー装置へ送信される。次のステップにおいて、クラウドサーバにより、予め生成されたパスワードが、試験の所定の数分前に、複数の受信ペーパー装置を使用するユーザと共有され、ここで、パスワードは１つまたはそれ以上の問題用紙を開くために使用される。次のステップにおいて、１つまたはそれ以上の問題用紙が共有パスワードを用いて開かれ、解答シートを生成するために、ユーザによって問題用紙への挑戦がなされる。さらに、ユーザにより、ユーザの受信ペーパー装置を用いて解答シートが走査される。最後に、走査された解答シートが、クラウドサーバにアップロードされて戻される。
【００１０】
当業者であれば、本明細書におけるいずれのブロック図も、本開示の主題の原理を具体化する例証的システムの概念ビューを表すことを認識するはずである。同様に、いずれのフローチャート、フロー図、状態遷移図、擬似コードなどは、コンピューティング装置またはプロセッサが明示的に示されるかどうかに関わらず、コンピュータ可読媒体内で実質的に表すことができ、それ故にコンピューティング装置またはプロセッサによって実行することができる種々のプロセスを表すことを認識されたい。
【００１１】
本開示に組み込まれ、その一部分を構成する添付の図面は、例示的な実施形態を示し、記述と共に、開示される原理を説明するのに役立つ。
【図面の簡単な説明】
【００１２】
【図１】本開示の一実施形態による、試験におけるコンテンツを配布するためのシステムの構築図を示す。
【図２】本開示の一実施形態による、試験におけるコンテンツを配布するためのシステムのブロック図を示す。
【図３】本開示の一実施形態による、１つまたはそれ以上の問題用紙を配布するための図１のシステムの構築図である。
【図４】本開示の一実施形態による、ユーザの出席を捕捉するための図１のシステムの構築図である。
【図５Ａ】本開示の一実施形態による、試験におけるコンテンツを配布することに関わるステップを示すフローチャートである。
【図５Ｂ】本開示の一実施形態による、試験におけるコンテンツを配布することに関わるステップを示すフローチャートである。
【図５Ｃ】本開示の一実施形態による、試験におけるコンテンツを配布することに関わるステップを示すフローチャートである。
【発明を実施するための形態】
【００１３】
例示的な実施形態が、添付の図面を参照しながら説明される。これらの図の中で、参照番号の最上位桁（単数または複数）は、その参照番号が初めに現れる図を識別する。便利な場合にはどこでも、同じまたは類似の部分を指すために図面を通して同じ参照番号が使用される。開示される原理の例および特徴が本明細書において説明されるが、開示される実施形態の趣旨および範囲から逸脱せずに、修正、適合、および他の実施が可能である。以下の詳細な説明は、例示としてのみ考えられ、真の範囲および趣旨は添付の特許請求の範囲によって示されることが意図されている。
【００１４】
次に、図面、より具体的には、図を通して類似の参照文字が対応する特徴を一貫して示す図１〜図５を参照すると、好ましい実施形態が示され、これらの実施形態が、以下の例示的なシステムおよび／または方法の文脈において説明される。
【００１５】
本開示の一実施形態によれば、試験におけるコンテンツを安全に配布するためのシステム１００が、図１の構築フロー図に示される。システム１００は、問題用紙などのコンテンツの作成および配布を安全な仕方で促進する方法を用いている。さらに、作成されたコンテンツは、暗号化されるデジタル形式で保持され、まさに試験の開始数分前に、権限者のみがアクセス可能である。コンテンツを暗号化されたデジタル形式で維持するために、システム１００は装置１０２、即ち、コンテンツが定められた期間の間だけアクセス可能であり、いかなる媒体にもコピー若しくは印刷することができないように保持するｉＧｒｅｅｎペーパー装置（ｉＧＰＤ：ｉＧｒｅｅｎ  ｐａｐｅｒ  ｄｅｖｉｃｅ）１０２を用いている。
【００１６】
装置１０２は２つのモードで使用することができる。第１は試験監督モードであり、この場合、マスターペーパー装置１０４と呼ぶことができる。第２は、試験モードであり、この場合、受信ペーパー装置１０６と呼ぶことができる。試験モードにおいて、ユーザまたは志願者は、試験中に、問題用紙を見るために装置１０２を使用することができる。装置１０２のデフォルト構成は受信ペーパー装置１０６である。本開示は、図１に示されるように、１つより多くのマスターペーパー装置１０４Ａ、１０４Ｂ、・・・１０４Ｎ、および複数の受信ペーパー装置１０６Ａ、１０６Ｂ、・・・１０６Ｎを用いて説明される。理解を明確にするために、特に言及されない限り、数値１０４は１つまたはそれ以上のマスターペーパー装置を指すのに使用されることになり、数値１０６は、１つまたは複数の受信ペーパー装置を指すのに使用されることになる。
【００１７】
本開示の一実施形態によれば、システム１００は、図２のブロック図に示されるように、コンテンツオーサリングエンジン１０８、クラウドサーバ１１０、マスターペーパー装置１０４および複数の受信ペーパー装置１０６を備える。装置１０２は、メモリ１１２、およびメモリ１１２と通信するプロセッサ１１４をさらに備える。プロセッサ１１４は、種々の機能を実行するための複数のモジュールをさらに備える。複数のモジュールは、接続設定モジュール１１６、走査モジュール１１８およびアップロードモジュール１２０を含む。複数の受信ペーパー装置１０６はさらに、種々の他の機能を実行するためのいずれかの他のモジュールを含むこともできる。
【００１８】
本開示の一実施形態によれば、コンテンツはコンテンツオーサリングエンジン１０８上で生成される。コンテンツは、１つまたはそれ以上の問題用紙の形で生成される。１つまたはそれ以上の問題用紙はセキュリティキーを用いて暗号化される。コンテンツはさらに、パスワードまたは試験に関連する任意の他の情報などとすることができる。コンテンツオーサリングエンジン１０８には、権限を与えられたユーザによってのみアクセスすることができる。コンテンツオーサリングエンジン１０８は、種々異なる型、例えば、オブジェクト型、サブジェクト型などの問題用紙を生成するように構成することができる。問題用紙は、通常、ＡＥＳ２５６ビット暗号化によって暗号化される。任意の他の暗号化法の使用は、本開示の範囲内に十分に入る。本開示の別の実施形態において、１つまたはそれ以上の問題用紙を何処か他の場所で作成することができ、ＰＤＦなどの所定の形式でコンテンツオーサリングエンジン１０８内にアップロードすることができる。
【００１９】
本開示の一実施形態によれば、システム１００はさらにクラウドサーバ１１０を備える。クラウドサーバ１１０は、コンテンツオーサリングエンジン１０８と通信する。ひとたびコンテンツが準備されると、それは、クラウドサーバ１１０上で暗号化形式に同期化される。必要とされるときはいつも、クラウドサーバ１１０は、１つまたはそれ以上の問題用紙を、確認後、マスターペーパー装置１０４と共有することができる。クラウドサーバ１１０はさらに、志願者の受信ペーパー装置の詳細、即ち、メディアアクセス制御（ＭＡＣ）番号、並びに問題用紙が志願者の受信ペーパー装置の中を流れるはずの順番を共有する。そうではあるが、問題用紙の流れは、いずれかの所定の順番の無い、即ち、問題用紙のランダムな流れとすることができることを認識されたい。マスターペーパー装置１０４からの問題用紙は、何れかの受信ペーパー装置へ行くことができ、次いでその受信ペーパー装置から、問題用紙はいずれかのランダムな受信ペーパー装置に行くことができる。
【００２０】
複数の受信ペーパー装置１０６の各々は、それらそれぞれのＭＡＣ番号でマッピングされる。それに加えて、複数の受信ペーパー装置１０６はさらに、ロール番号でマッピングされ、ＭＡＣ番号の各々は一組の問題用紙によって予めマッピングされる。従って、試験において、どのユーザがどの問題用紙を取得することになるかが予め決定される。このことは、試験の時間に、試験監督が緊張しない状態に留まるのに役立つであろう。
【００２１】
本開示の一実施形態によれば、マスターペーパー装置１０４は、クラウドサーバ１１０から１つまたはそれ以上の問題用紙を受信するように構成される。第１のマスターペーパー装置１０４Ａが１つの試験センターに存在することが可能である。同様に、第２のマスターペーパー装置１０４Ｂが、図１に示されるように、別の試験センターに存在することができる。マスターペーパー装置１０４は、１つまたはそれ以上の問題用紙に対する要求を送信するように構成される。この要求は公開キーと共に送信される。公開キーは、ＲＳＡ暗号化のために準備される。公開キーが正しく確認される場合、クラウドサーバ１１０だけが、１つまたはそれ以上の問題用紙をマスターペーパー装置１０４に送信する。公開キーに加えて、クラウドサーバ１１０は、ＭＡＣアドレス、配布ピン、アンドロイド（Ａｎｄｒｏｉｄ）ＯＳバージョン、証明およびチェックログ、Ｍｄ５チェックサム、動的セキュリティトークン、ユーザエージェントおよび場所などの複数のパラメータを確認するように構成される。
【００２２】
本開示の一実施形態によれば、システム１００は複数の受信ペーパー装置１０６をさらに備える。複数の受信ペーパー装置１０６は、試験に出席する志願者またはユーザの各々と共に存在する。ユーザがそれらの受信ペーパー装置のスイッチを入れると、これは自動的に問題用紙の検索を開始する。問題用紙は、マスターペーパー装置１０４が問題用紙を共有するときはいつも、受信ペーパー装置１０６のスクリーン上に得られることになる。従って、受信ペーパー装置１０６は、ユーザのための手間の掛からない「ゼロクリック」操作で働く。複数の受信ペーパー装置１０６は、他のアプリケーションがその上でアクセス可能でないように、設計される。一例において、ユーザのロール番号をユーザの受信ペーパー装置を用いてマッピングすることができる。さらに、試験において、上記のように、どの志願者（ロール番号）がどの問題用紙のセットを取得することになるかが既に計画されている。
【００２３】
アドホック安全ネットワークのＳＳＩＤおよび接続信任状が、アプリケーションによりプログラムに従って、ＭＡＣ番号に応じて生成される。任意の他のアプリケーションを有するどの他の装置もＳＳＩＤおよび信任状生成のこの論理を知ることがなく、生成することができないであろう。
【００２４】
登録／ホワイトリスト登録プロセス中にどの顧客も、彼らが受信ペーパー装置を取得するとき、特定の暗号化キーがクラウドサーバ１１０から受信ペーパー装置１０６に渡される。その後、学生が、問題用紙を受信するためにアプリケーションを開く。アプリケーションは、この暗号化キーおよびＭＡＣ  ＩＤを取り出し、次いで、ＳＳＩＤをプログラムに従って生成し、これによりネットワークが開始される。
【００２５】
さらに、マスターペーパー装置１０４を使用している試験監督は、マスターペーパー装置１０４内の共有ボタンをクリックすることになる。これは、第１のアドホック安全ネットワークの探索を開始し、マスターペーパー装置１０４と、複数の受信ペーパー装置１０６のうちの第１の受信ペーパー装置１０６Ａとの間の接続が、接続設定モジュール１１６を使用して、第１の問題用紙に対応するＭＡＣの第１のリストにより、第１のアドホック安全ネットワークを用いて設定される。問題用紙の成功した伝送の後、マスターペーパー装置１０４は、ＭＡＣ番号の第１のエントリを除去し、伝送のための次の受信ペーパー装置を探す。これに加えて、第１の受信ペーパー装置１０６Ａはまた、今度は、図３に示されるように、第１の問題用紙の送信器として働く。それにより、第１の問題用紙は、第１の受信ペーパー装置１０６Ａから、ＭＡＣ番号の第１のリストに対応する残りの複数の受信ペーパー装置１０６Ｂ、１０６Ｃ、・・・１０６Ｎなどへ送信されることになる。
【００２６】
例えば、第１のマスターペーパー装置１０４は、問題用紙セットＡにタグ付けされたある文字列パターンを有するネットワークを探す。このことは、マスターペーパー装置１０４が、その接続信任状が問題用紙セット１のパターンとなる作成されたネットワークを有する受信ペーパー装置だけに接続されることを可能にする。マスターペーパー装置１０４のみが、１つのそのようなネットワークを見出すことになり、マスターペーパー装置１０４が、受信ペーパー装置のＭＡＣアドレスに基づいてやはり動的である信任状を用いて接続することになり、次いで、問題用紙をその受信ペーパー装置へ送信することになる。マスターペーパー装置１０４が第１のセットの問題用紙を少なくとも１つの受信ペーパー装置に転送すると直ぐに、次いで第２のセットの問題用紙を取得して、第２のセットの問題用紙にタグ付けされた第２のアドホック安全ネットワークを動的に探すことになり、同じ流れが続けられることになる。
【００２７】
本開示の一実施形態によれば、第１のセットの問題用紙を既に受信した第１の受信ペーパー装置１０６Ａは、次に、第１のセットの問題用紙にタグ付けされた残りの受信ペーパー装置への送信器として働くことになる。同じ論理が、受信ペーパー装置１０６Ａによって、問題用紙を試験室内の残りの受信ペーパー装置１０６Ｂ、１０６Ｃ、・・・１０６Ｎと共有するために用いられることになる。
【００２８】
さらに、ひとたび問題用紙がユーザらによって共有されても、ユーザらは依然として問題用紙を開くことができないことになるが、これは、共有された問題用紙は、問題用紙のセキュリティを高めるようにパスワードで保護された問題用紙であるからである。本開示の一実施形態によれば、システム１００はさらに、ユーザが試験の所定の数分前にのみ、問題用紙を開くことができることを保証する。パスワードは予め生成されたパスワードである。パスワードは、クラウドサーバ１１０によって生成される。
【００２９】
本開示の一実施形態によれば、クラウドサーバ１１０はさらに、試験のための複数の受信ペーパー装置１０６を認可するためのＱＲコードを生成するように構成される。試験の時間に、試験監督は、試験監督のＱＲコードを走査することによってユーザの受信ペーパー装置１０６を認可することになる。走査後、ユーザの「開始ボタン」が、ユーザの受信ペーパー装置１０６のスクリーン上に利用可能となる。
【００３０】
本開示の一実施形態によれば、システム１００内で、装置１０６はさらに、走査モジュール１１８およびアップロードモジュール１２０を備える。ひとたびユーザが問題用紙を開くと、ユーザは問題用紙への挑戦を開始することができる。問題用紙への挑戦は、解答シートの生成をもたらす。次いで、走査モジュール１１８は、ユーザの解答シートを、受信ペーパー装置１０６内に設けられたカメラを用いて、走査するように構成される。アップロードモジュール１２０は、走査された解答シートをクラウドサーバ１１０にアップロードして戻すように構成される。一例において、解答シートがＯＭＲシートの形態で生成される場合、受信ペーパー装置は、ユーザが問題用紙を終了すると直ぐに、試験の結果を急いで生成するように構成することができる。
【００３１】
ひとたび試験が終わると、受信ペーパー装置１０６は初期モードに戻り、そこで別の試験のために再使用することができる。問題用紙は受信ペーパー装置１０６から削除されることになる。問題用紙は、インターネットを用いてどこからでもアクセスすることができる外部リンクを通してユーザに対してアクセス可能にすることができる。受信ペーパー装置を再使用可能にするために、配布ピン（Ｄ−Ｐｉｎ：ｄｉｓｔｒｉｂｕｔｉｏｎ  ｐｉｎ）セキュリティ機能がさらに設けられる。新しいＤ−Ｐｉｎは、受信ペーパー装置を別の試験のために再使用するために、常に要求されることになる。
【００３２】
本開示の一実施形態によれば、システム１００はさらに、複数の受信ペーパー装置１０６の各々の場所をチェックするように構成される。問題用紙がユーザの受信ペーパー装置１０６上にダウンロードされると直ぐに、受信ペーパー装置１０６は、受信装置の場所の現在の座標を捕捉することになる。試験中に、ユーザが、問題用紙を持っている受信ペーパー装置１０６を持って行こうとする場合、志願者が１０メートルの半径を横切るや否や、問題用紙は受信ペーパー装置１０６内に隠されることになり、ユーザはその問題用紙にアクセスすることができなくなり、次いで、ユーザがその半径内の自分の座席に直ぐに達するときにのみ、再び問題用紙に再びアクセスすることができるようになる。
【００３３】
本開示の一実施形態によれば、装置１０２はさらに警報発生モジュール（図示されず）を有する。試験自体の開始時に、警報発生モジュールは、ユーザにバッテリが完全な試験を行うには不十分であると注意するために、音声または視覚警報を発生する。警報発生モジュールは、さらに、装置１０２内に残るバッテリ寿命が３０分、１５分および５分の時に、ユーザに警報を出すように構成される。
【００３４】
本開示の一実施形態によれば、複数の受信ペーパー装置１０６はまた、図４のフローチャートに示されるように、試験に現れるユーザの出席を捕捉するために使用することができる。その出席は、バイオメトリクス詳細およびユーザの写真を用いて捕捉される。それに加えて、複数の受信ペーパー装置１０６はさらに、試験のために現れるユーザが本人であることを確認することができる。この確認は、一意的な識別番号に基づく確認または顔比較技術のいずれかを用いて実行することができる。ユーザを確認するために、インドにおけるアドハール（Ａｄｈａａｒ）カード番号などの一意的な識別番号を用いることができる。ユーザの確認の後にのみ、ユーザの受信ペーパー装置内の「試験開始」ボタンが利用可能となる。
【００３５】
本開示の一実施形態によれば、装置１０２にはさらに、問題用紙の安全な印刷の選択肢が設けられる。印刷物は、試験センターにおいてだけ、マスターペーパー装置１０４と接続された携帯印刷機を用いて供給することができる。
【００３６】
本開示の一実施形態によれば、受信ペーパー装置１０６はさらに、口頭試問試験などの、ユーザの実技試験を行うように構成される。受信ペーパー装置１０６には、ユーザの音声および映像応答を捕捉するために使用することができるマイクロフォンおよびカメラが備えられる。
【００３７】
実施中の、試験におけるコンテンツを配布する方法を示すフローチャート２００が図５Ａ〜図５Ｃに示される。最初に、ステップ２０２において、コンテンツがコンテンツオーサリングエンジン１０８上で１つまたはそれ以上の問題用紙の形で作成される。１つまたはそれ以上の問題用紙はセキュリティキーで暗号化され、ここで１つまたはそれ以上の問題用紙の各々は、複数の受信ペーパー装置に対応する１つまたはそれ以上のメディアアクセス制御（ＭＡＣ）番号でマッピングされる。１つまたはそれ以上の問題用紙はまた外部で生成し、次いでコンテンツオーサリングエンジン１０８にアップロードすることもできる。ステップ２０４において、作成された１つまたはそれ以上の問題用紙がクラウドサーバ１１０上で同期化される。
【００３８】
次のステップ２０６において、マスターペーパー装置１０４から１つまたはそれ以上の問題用紙に対する要求が受信され、ここで、その要求は公開キーと共に受信される。ステップ２０８において、公開キーの正しさがコンテンツオーサリングエンジン１０８において確かめられる。公開キーの使用は、マスターペーパー装置１０４の正当性および１つまたはそれ以上の問題用紙のセキュリティを保証する。次のステップ２１０において、１つまたはそれ以上の問題用紙が、予めマッピングされた１つまたはそれ以上のＭＡＣ番号と共に、暗号化形式で、クラウドサーバ１１０からマスターペーパー装置１０４に転送される。
【００３９】
次のステップ２１２において、複数の受信ペーパー装置１０６が、それらを使用するユーザによってスイッチを入れられる。スイッチを入れることは、それら受信ペーパー装置を受信モードに変化させる、即ち、それらが問題用紙の探索を開始する。ステップ２１４において、マスターペーパー装置１０４と、複数の受信ペーパー装置１０６のうちの第１の受信ペーパー装置１０６Ａとの間の接続が、１つまたはそれ以上の問題用紙のうちの第１の問題用紙に対応するＭＡＣ番号の第１のリストにより、第１のアドホック安全ネットワークを用いて設定される。次のステップ２１６において、第１の問題用紙がマスターペーパー装置１０４から第１の受信ペーパー装置１０６Ａへ、第１のアドホック安全ネットワークを用いて送信される。問題用紙を送信する間、マスターペーパー装置１０４は、第１のリストから第１の受信ペーパー装置１０６ＡのＭＡＣ番号を除去した後、ＭＡＣ番号の第１のリストをさらに共有する。次のステップ２１８において、第１の問題用紙が、さらに、マスターペーパー装置１０４および第１の受信ペーパー装置１０６Ａから、ＭＡＣ番号の第１のリストに対応する、残りの複数の受信ペーパー装置へ送信される。
【００４０】
次のステップ２２０において、クラウドサーバ１１０によって、予め生成されたパスワードが、試験の所定の数分前に、複数の受信ペーパー装置１０６を使用するユーザと共有され、ここでパスワードは１つまたはそれ以上の問題用紙を開くのに使用される。通常、パスワードは、試験の１０分前に、試験監督と共有される。次に、試験監督は、試験の開始時に、試験室内の黒板上にパスワードを書く。次のステップ２２２において、１つまたはそれ以上の問題用紙が共有パスワードを用いて開かれる。次に、解答シートを生成するためにこの問題用紙がユーザによって挑戦される。次のステップ２２４において、ユーザにより、ユーザの受信ペーパー装置１０６を用いて解答シートが走査される。通常、解答シートを走査するために、受信ペーパー装置１０６のカメラを使用することができる。最後に、ステップ２２６において、走査された解答シートが、クラウドサーバ１１０にアップロードされて戻される。
【００４１】
本開示の一実施形態によれば、システム１００はまた、諸例を用いて説明することもできる。本開示の一例において装置１０２には以下のソフトウェアおよびハードウェア仕様が備えられる。
・アンドロイドオペレーティングシステム
・多言語および時間帯サポート
・ＨＤディスプレイを有するスクリーンサイズ１０．１インチ
・静電容量方式マルチタッチスクリーン
・リアカメラ−８ＭＰ自動焦点｜フロントカメラ−５ＭＰ自動焦点
・Ｍｅｄｉａｔｅｋ  ＭＴＫ８３２１プロセッサ
・ズームインおよびズームアウト
・アドホックＷｉ−Ｆｉサポート
・優良バッテリバックアップおよび多連充電装置
・３２ＧＢ内部メモリ（６４ＧＢまで拡張可能）および２ＧＢ  ＲＡＭ
・内蔵スピーカおよび３．５ｍｍオーディオジャック
【００４２】
装置１０２はさらに少数の他のアプリケーション／ユーティリティを有する。本開示の実施形態によれば、装置１０２はまた、ＴＣＳ  ｉＯＮデジタル学習プラットフォームなどのいずれかの既存の学習プラットフォームと共に、学習装置として使用することもできる。
【００４３】
本開示の別の実施形態によれば、装置１０２はまた、ＧＲＥ、ＴＯＥＦＥＬなどのオンライン試験の志願者のオンライン評価のために使用することもできる。このモードにおいて装置１０２はインターネットに接続されることになり、試験用紙などのコンテンツを、試験の直前に安全に与えることができる。
【００４４】
本開示の一実施形態によれば、着想グリーンペーパー装置１０２をまた、オフラインモードにおける志願者の評価のために使用することもできる。オフラインモードは、田舎などのように、不十分なインターネットしかない／インターネット接続がないときに、使用される。評価は装置１０２に格納されることになる。志願者の装置がインターネットに接続されると直ぐに、装置１０２はクラウドサーバ１１０に同期化されることになる。
【００４５】
装置１０２はまた、志願者の解答シートを評価するための採点プラットフォームとして使用することもできる。従って、解答シートを採点するための紙の印刷の必要性がない。一例において、このことは、ＴＣＳ  Ｉｏｎ採点プラットフォームなどのいずれかの既存の採点プラットフォームによる作業を容易にする。
【００４６】
本開示の一実施形態によれば、装置１０２はまた、装置内に存在するカメラを使用する監視のために用いることもできる。試験中、装置１０２は録画物をクラウドサーバ１１０へ渡すことになる。クラウドサーバ１１０は録画の処理を実行し、さらに分析することになる。試験室内における受信ペーパー装置の移動またはいずれかの他の不正行為の場合、これらの行為を記録することができ、さらなる行動に関して通知することができる。
【００４７】
本開示の別の実施形態によれば、装置１０２はまた、オフラインモードにおいてデジタルサーベイを行うために使用することもできる。このサーベイは、オフラインモードにおいて捕捉することができ、全ての装置がオンラインになるときはいつもサーベイの結果を生成するためにそれらを一緒に同期化することができる。同様に、装置１０２は、オフラインモードにおいて、志願者の登録および他の形式的手続きのために使用することができ、装置１０２がオンラインになるときはいつもクラウドサーバ１１０と同期化することができる。
【００４８】
本開示の別の実施形態によれば、装置１０２はまた、試験室内におけるＢｌｕｅｔｏｏｔｈ（登録商標）またはＷｉ−Ｆｉ（登録商標）などのいずれかの他の信号のスニッフィングのために使用することもできる。ＢｌｕｅｔｏｏｔｈまたはＷｉ−Ｆｉ信号が検知されると直ぐに、この情報をクラウドサーバに送り、さらなる行動のために、試験センター内で検知されたＢｌｕｅｔｏｏｔｈまたはＷｉ−Ｆｉ信号の詳細について言及することができる。
【００４９】
本明細書は、いずれの当業者でも実施形態を作りおよび使用することができるように、本明細書の主題を説明する。本主題の実施形態の範囲は、特許請求の範囲によって定められ、当業者が思いつく他の修正を含むことができる。そのような他の修正は、それらが、特許請求の範囲の文字通りの術語から異ならない類似の要素を有する場合、または特許請求の範囲の文字通りの術語から非実質的な違いを有する等価な要素を有する場合に、特許請求の範囲に入ることが意図されている。
【００５０】
本開示の実施形態は、本明細書において、試験を行う前に問題用紙のセキュリティを維持することに関する問題を解決する。本開示は、試験におけるコンテンツの安全な配布のための方法およびシステムを提供する。
【００５１】
保護の範囲は、そのようなプログラムおよびさらにメッセージを内部に有するコンピュータ可読手段にまで拡張され、そのようなコンピュータ可読格納手段は、プログラムがサーバまたは携帯装置または任意の適切なプラグラム可能装置上で実行されるとき、本方法の１つまたはそれ以上のステップの実施のためのプログラムコード手段を含む、ことを理解されたい。ハードウェア装置は、例えば、サーバまたはパーソナルコンピュータなど、またはそれらの任意の組み合わせのような任意の種類のコンピュータを含む、プログラム可能な任意の種類の装置とすることができる。本装置はまた、例えば、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ−ｐｒｏｇｒａｍｍａｂｌｅ  ｇａｔｅ  ａｒｒａｙ）、または、ハードウェア手段とソフトウェア手段との、例えばＡＳＩＣとＦＰＧＡとの、組み合わせ、または、少なくとも１つのマイクロプロセッサおよびソフトウェアモジュールが内部に置かれた少なくとも１つのメモリとすることができる手段を含むことができる。従って、この手段は、ハードウェア手段およびソフトウェア手段の両方を含むことができる。本明細書で説明される方法の実施形態は、ハードウェアおよびソフトウェアにおいて実施することが可能である。本装置はさらに、ソフトウェア手段を含むことができる。代替的に、実施形態は、異なるハードウェア装置上で、例えば、複数のＣＰＵを用いて、実施することができる。
【００５２】
本明細書における実施形態は、ハードウェアおよびソフトウェア要素を備えることができる。ソフトウェアにおいて実施される実施形態は、それらに限定されないが、ファームウェア、常駐ソフトウェア、マイクロコードなどを含む。本明細書で説明される種々のモジュールによって実行される機能は、他のモジュール、または他のモジュールの組み合わせにおいて実施することができる。この説明のために、コンピュータ使用可能またはコンピュータ可読媒体は、命令実行システム、器具、または装置によるまたは関連する使用のためのプログラムを備え、格納し、通信し、伝え、または輸送することができる任意の器具とすることができる。
【００５３】
図解されたステップは、示された例示的な実施形態を説明するために提示され、進行中の技術的発展が、特定の機能が実行される仕方を変えるであろうことが予想されるはずである。これらの例は、本明細書では例証のために提示され、限定のためではない。さらに、機能性構築ブロックの境界は、本明細書では、説明の便宜のために任意に定められている。特定の機能およびそれらの関係性が適切に実行される限り、代替の境界を定めることができる。代替物（本明細書で説明されるものの等価物、拡張物、変形物、偏向物などを含む）が、関連技術分野（単数または複数）の当業者には、本明細書に含まれる教示に基づいて、明白となるであろう。そのような代替物は、本開示の実施形態の範囲および趣旨の中に入る。また、用語「備える」、「有する」、「包含する」および「包む」、並びに他の類似形は、意味が等価であり、これらの用語のいずれか１つに続く項目または複数項目が、そのような項目または複数項目の網羅的列挙であることを意味せず、或いは、列挙された項目または複数項目にのみ限定されることを意味しない点で、オープンエンド型であることが意図されている。さらに、本明細書および添付の特許請求の範囲において使用される場合、単数形「ａ」、「ａｎ」および「ｔｈｅ」は、文脈が明白に別に規定しない限り、複数の言及物を含むことに留意されたい。
【００５４】
さらに、１つまたはそれ以上のコンピュータ可読格納媒体は、本開示と調和する実施形態を実施するのに使用することができる。コンピュータ可読格納媒体は、プロセッサによって読み出し可能な情報またはデータを格納することができる任意のタイプの物理メモリを指す。従って、コンピュータ可読格納媒体は、プロセッサ（単数または複数）に本明細書で説明される実施形態と調和するステップまたは段階を実行させる命令を含んだ、１つまたはそれ以上のプロセッサによる実行のための、命令を格納することができる。用語「コンピュータ可読媒体」は有形項目を含み、搬送波および過渡信号を除外する、即ち、非一時的な物であると理解されたい。例としては、ランダムアクセスメモリ（ＲＡＭ：ｒａｎｄｏｍ  ａｃｃｅｓｓ  ｍｅｍｏｒｙ）、読み出し専用メモリ（ＲＯＭ：ｒｅａｄ−ｏｎｌｙ  ｍｅｍｏｒｙ）、揮発性メモリ、不揮発性メモリ、ハードドライブ、ＣＤ  ＲＯＭ、ＤＶＤ、フラッシュドライブ、ディスク、および任意の他の既知の物理的格納媒体が含まれる。
【００５５】
本開示および諸例は、例示的なものに過ぎないと考えられ、開示された実施形態の真の範囲および趣旨は、以下の特許請求の範囲によって示されることが意図されている。
【図１】
2020068004.tif 000003
【図２】
2020068004.tif 000004
【図３】
2020068004.tif 000005
【図４】
2020068004.tif 000006
【図５Ａ】
2020068004.tif 000007
【図５Ｂ】
2020068004.tif 000008
【図５Ｃ】
2020068004.tif 000009
【外国語明細書】
2020068004000001.pdf